(57)【要約】剪断システムのシェーパは、ワークピースを定義された幾何学的形状に成形する。次に、ポジショナは、内部準備システムが剪断面に分離層を生成可能なようにワークピースを位置決めする。内部準備システムは、ワークピースの内部においてレーザービームを焦点に集束させ、剪断面を横切るように焦点をスキャンすることによって分離層を生成する。外部準備システムは、分離層と一致する位置でワークピースの外面に切り込みを入れる。剪断機は、分離層に沿って外面のクラックを伝播させることによってワークピースを剪断する。クロッパーは、必要に応じて剪断片を幾何学的形状に成形する。
2021531982.tif 000002
【特許請求の範囲】
【請求項１】
材料のワークピースを剪断するための方法であって、前記方法は、
内部準備システムによって生成されたレーザーを使用して、前記ワークピース内に前記ワークピースの残りの材料とは異なる材料特性を有する分離層を生成することと、
外部準備システムを使用して前記ワークピースに切り込みを入れ、前記分離層と一致する少なくとも一点において前記ワークピースの外面にクラックを生成することと、
剪断機を使用して前記ワークピースを剪断し、前記分離層に沿って前記クラックを伝播させる、前記分離層の少なくとも一部に垂直な引張力を前記ワークピースに発生させることにより、剪断片を生成することと、を含む方法。
【請求項２】
請求項１に記載の方法であって、前記方法は、
成形システムを使用して、前記剪断片が定義された幾何学的形状の断面に等しい境界を有するように、前記ワークピースを前記定義された幾何学的形状に成形することをさらに含む方法。
【請求項３】
請求項１に記載の方法であって、前記方法は、
コントローラを使用して、前記ワークピース内の剪断面の位置を決定することと、
ポジショナを使用して、前記剪断面と前記分離層とが一致するように前記ワークピースを位置決めすることと、をさらに含む方法。
【請求項４】
請求項１に記載の方法であって、前記分離層を生成することは、
前記ワークピースの内部のフットプリントに前記レーザーを集束させることであって、前記レーザーのパルスは、前記フットプリントにおいて前記ワークピースの材料特性を局所的に変化させることをさらに含む方法。
【請求項５】
請求項１に記載の方法であって、前記分離層を生成することは、
前記ワークピース内で前記レーザーの焦点を移動させて前記分離層を生成することであって、前記分離層は、前記ワークピース内での移動に伴って前記焦点において局所的に変化された材料の集合体として形成されることをさらに含む方法。
【請求項６】
請求項１に記載の方法であって、前記ワークピースを剪断することは、
前記ワークピースの両端に前記剪断機を取り付けることと、
前記分離層に沿って前記クラックを伝播させる引張力を生成することであって、前記引張力は、前記ワークピースの両端間で前記分離層の少なくとも一部に垂直に生成されることと、を含む方法。
【請求項７】
請求項６に記載の方法であって、前記剪断機は前記ワークピースの両端に静電的に取り付けられている方法。
【請求項８】
請求項１に記載の方法であって、前記方法は、
クロッパーを使用して、前記剪断片を特定の幾何学的形状に切り取ることをさらに含む方法。
【請求項９】
請求項１に記載の方法であって、前記方法は、
前記レーザーを使用して、前記ワークピース内に異なる材料特性を有する別の分離層を生成することをさらに含む方法。
【請求項１０】
請求項９に記載の方法であって、前記方法は、
前記剪断機を使用して、前記別の分離層に沿って前記ワークピースを剪断し、別の剪断片を生成することをさらに含む方法。
【請求項１１】
請求項１に記載の方法であって、前記レーザーはパルスレーザーであり、前記内部準備システムは少なくとも１００ｋＨｚの繰り返し率でレーザーパルスを生成する方法。
【請求項１２】
材料のワークピースを剪断するためのシステムであって、前記システムは、
前記ワークピース内に分離層を生成するためのレーザービームを生成するように構成された内部準備システムであって、前記分離層は前記ワークピースの残りの材料とは異なる材料特性を有する内部準備システムと、
前記分離層と一致する少なくとも一点において前記ワークピースの表面にクラックを生成するように、前記ワークピースに切り込みを入れるように構成された外部準備システムと、
前記分離層に沿って前記クラックを伝搬させる、前記分離層の少なくとも一部に垂直な引張力を前記ワークピースに発生させることにより、前記ワークピースの剪断片を生成するように構成された剪断機と、を備えるシステム。
【請求項１３】
請求項１２に記載のシステムであって、前記システムは、
前記剪断片が定義された幾何学的形状の断面に等しい境界を有するように、前記ワークピースを前記定義された幾何学的形状に成形するように構成されたシェーパをさらに備えるシステム。
【請求項１４】
請求項１２に記載のシステムであって、前記システムは、
前記ワークピース内の剪断面の位置を決定するように構成されたコントローラと、
前記剪断面と前記分離層とが一致するように前記ワークピースを位置決めするように構成されたポジショナとをさらに備えるシステム。
【請求項１５】
請求項１２に記載のシステムであって、前記内部準備システムは、
前記ワークピースの内部のフットプリントにレーザーを集束させるように構成された集束システムをさらに備え、前記レーザーのパルスは、前記フットプリントにおいて前記ワークピースの材料特性を局所的に変化させるシステム。
【請求項１６】
請求項１２に記載のシステムであって、前記内部準備システムは、
前記ワークピース内でレーザーの焦点を移動させて前記分離層を生成するように構成された集束システムをさらに備え、前記分離層は、前記ワークピース内での移動に伴って前記焦点において局所的に変化された材料の集合体として形成されるシステム。
【請求項１７】
請求項１２に記載のシステムであって、前記剪断機はさらに、前記ワークピースの両端に取り付けられるとともに、前記分離層に沿って前記クラックを伝播させる引張力を生成するように構成され、前記引張力は、前記ワークピースの両端間で前記分離層の少なくとも一部に垂直に生成されるシステム。
【請求項１８】
請求項１７に記載のシステムであって、前記剪断機は、前記ワークピースの両端に静電的に取り付けられるように構成されているシステム。
【請求項１９】
請求項１２に記載のシステムであって、前記システムは、
前記剪断片を特定の幾何学的形状に切り取るように構成されたクロッパーをさらに備えるシステム。
【請求項２０】
請求項１２に記載のシステムであって、前記内部準備システムはさらに、レーザーを使用して、前記ワークピース内に異なる材料特性を有する別の分離層を生成するように構成されているシステム。
【請求項２１】
請求項２０に記載のシステムであって、前記剪断機はさらに、前記別の分離層に沿って前記ワークピースを剪断し、別の剪断片を生成するように構成されているシステム。
【請求項２２】
請求項１２に記載のシステムであって、前記内部準備システムによって生成される前記レーザービームは、少なくとも１００ｋＨｚの繰り返し率で生成されるパルスを有するパルスレーザービームであるシステム。
【発明の詳細な説明】
【技術分野】
【０００１】
本発明は概して材料処理に関し、より具体的には、入射放射線を使用して剪断用のワークピース及びワークピースの剪断を準備することに関する。
【背景技術】
【０００２】
半導体は、その独自の特性、多くの用途、そして現在広く使用されていることから、エレクトロニクス及び太陽光発電業界において重要かつ価値のある材料である。半導体はしばしばウェハの形で使用される。
【発明の概要】
【発明が解決しようとする課題】
【０００３】
しかしながら、現在のウェハの製造方法には無駄があり、最大５０％の材料損失が生じる場合がある。大きな半導体インゴット／ブロックを薄いウェハの形に機械的にワイヤソーイングすることは業界標準であるが、ソーワイヤによるカーフロスは避けられない。ソーイングはまた、結果物のウェハの表面に損傷を残すため、多くの用途に必要とされる高品質のウェハを実現するために、損傷した材料の除去及びそれに続く表面仕上げが必要となる。ウェハの表面を仕上げるために研磨及び機械的研削がよく使用されるが、これらの後処理ステップによってウェハからさらに多くの材料が除去され、全体的な材料損失がさらに増加する。半導体ウェハの製造中の材料損失が大きくなると、目的の用途に使用可能な半導体材料が少なくなり、ウェハあたりのコストが高くなる。同様の議論は、様々な用途で幅広い産業において使用される高品質の絶縁体（例えば、酸化ケイ素、酸化アルミニウム、酸化ジルコニウム、酸化マグネシウム等）についても適用され得る。
【０００４】
クラック伝播による材料ワークピースの剪断は、材料損失がほとんどないため、現在のウェハ処理方法の有望な代替手段である。さらに、このタイプの剪断は、より高品質のウェハ表面をもたらし、高品質の表面仕上げを達成するための後処理ステップの必要性を潜在的に低減または排除することがわかっている。しかしながら、そのような剪断方法によってウェハを効率的に製造することは非常に難しい。
【課題を解決するための手段】
【０００５】
従来の技術と比較して少ない力でワークピースを一つ以上の剪断片に正確に剪断するための剪断システムについて記載する。剪断システムは、シェーパ、ポジショナ、内部準備システム、外部準備システム、剪断機、及びクロッパーを含む。
【０００６】
剪断システムは、剪断片を生成するための様々な方法を採用し得る。例えば、シェーパはワークピースを円柱等の定義された幾何学的形状に成形する。このようにして剪断システムによって生成された剪断片はいずれも、定義された幾何学的形状（例えば、円）の断面を有し得る。剪断システムは、ワークピース内部の剪断面の位置を決定する。次に、ポジショナは、内部準備システムが剪断面に分離層を生成可能なようにワークピースを位置決めする。
【０００７】
分離層を生成するために、内部準備システムは、焦点においてワークピースの内部にレーザービームを集束させ、機械的特性が変化したワークピース内の局所領域（フットプリント）を生成する。内部準備システムは、剪断面を横切るようにレーザービームをスキャンし、多くのフットプリントを生成することで分離層を生成する。分離層は、分離層を囲む材料とは構造的に異なるワークピース内の材料の層である。分離層と周囲の材料との間の構造的相違により、ワークピースを剪断片に剪断することが容易となる。ワークピースの内部に複数の分離層が生成されてもよい。
【０００８】
外部準備システムは、分離層と一致する位置でワークピースの外面に切り込みを入れる。次に、剪断機は、分離層に沿ってその外面のクラックを伝播させることにより、ワークピースを剪断する。より具体的には、剪断システムはワークピースの両端に引張力を加え、それが分離層の異なる材料に沿ってクラックを伝播させ、それによって剪断片が生成される。クロッパーは、必要に応じて剪断片を任意の幾何学的形状に成形する。
【図面の簡単な説明】
【０００９】
【図１】一実施形態による、ワークピースを剪断するためのシステムを示す。
【図２】一実施形態による、ワークピースを剪断するための剪断システムを示す。
【図３】一実施形態による、内部準備システムを示す。
【図４】一実施形態による、剪断機を示す。
【図５】一実施形態による、ワークピースを剪断するためのプロセスフローである。
【図６】一実施形態による、ワークピースの内部に分離層を生成するためのプロセスフローである。
【図７Ａ】一実施形態による、ワークピースの内部の分離層の生成を示す。
【図７Ｂ】一実施形態による、ワークピースの内部の分離層の生成を示す。
【図７Ｃ】一実施形態による、ワークピースの内部の分離層の生成を示す。
【図７Ｄ】一実施形態による、ワークピースの内部の分離層の生成を示す。
【図８Ａ】一実施形態による、ワークピース内に分離層を生成するフットプリントを示す。
【図８Ｂ】一実施形態による、ワークピースの内部の分離層を示す。
【図８Ｃ】一実施形態による、ワークピースの内部の分離層を示す。
【図９】一実施形態による、複数の分離層を有するワークピースを示す。
【図１０Ａ】一つ以上の分離層１４０に沿って剪断されたワークピースの例を示す。
【図１０Ｂ】一つ以上の分離層１４０に沿って剪断されたワークピースの例を示す。
【発明を実施するための形態】
【００１０】
これらの図は、例示のみを目的としており、本発明の様々な実施形態を示している。当業者は、以下の説明から、本明細書に記載の本発明の原理から逸脱することなく、本明細書に示す構造及び方法の代替の実施形態を採用可能であることを容易に認識するであろう。
【００１１】
システム概要
図１は、一実施形態による、ワークピース１３０を剪断するためのシステム環境１００を示している。環境１００は、システムコントローラ１２０、剪断システム１１０、及びワークピース１３０を含む。環境１００内において、システムコントローラ１２０は、ワークピース１３０の剪断面１６０を決定する。システムコントローラ１２０は、剪断システム１１０を制御して、剪断面１６０に沿ってワークピース１３０内に分離層１４０を生成する。そのために、剪断システム１１０はワークピース１３０内にフットプリント１５０を生成し、これにより、ワークピース１３０を剪断する剪断システム１１０の動作を促進する。次に、システムコントローラ１２０は、分離層１４０に沿ってワークピースを剪断するように剪断システム１１０を制御する。
【００１２】
剪断システム
図２は、環境１００内の剪断システム１１０を示している。剪断システム１１０は、ワークピース１３０を二つ以上の断片に剪断する。ワークピース１３０が半導体インゴットである場合、剪断システム１１０は、半導体インゴットを一つ以上の半導体ウェハに剪断することができる。
【００１３】
剪断システム１１０は、シェーパ２１０、ポジショナ２２０、内部準備システム２３０、外部準備システム２４０、剪断機２５０、及びクロッパー２６０を含む。
シェーパ２１０は、ワークピース１３０が剪断システム１１０によって剪断され得るように、ワークピース１３０を成形する。ワークピース１３０の成形は、ワークピース１３０を、円柱形状、矩形プリズム、または他の何らかの形状のような既知の幾何学的形状に成形することを含み得る。いくつかの例では、ワークピース１３０の成形は、ワークピース１３０からの材料の追加または除去のいずれかを含み得る。ワークピース１３０からの材料の除去は、鋸、グラインダー、エッチングプロセス、またはワークピース１３０から材料を除去可能な他の何らかの器具またはプロセスによって実現することができる。ワークピース１３０への材料の追加は、化学蒸着、熱酸化、原子層堆積、またはワークピースに材料を追加する他の任意の方法によって実現することができる。場合によっては、成形されたワークピース１３０は、外部の供給元またはベンダーから受け取ってもよい。いずれにせよ、成形されたワークピース１３０は、剪断システム１１０によって剪断可能な形状を有する。
【００１４】
ワークピース１３０の形状は、剪断片の所望の形状に基づいて選択される。いくつかの例には、同じ形状の断片を生成するための、円形、長方形、正方形、または疑似正方形の断面積を有するワークピース１３０が含まれる。他の例では、ワークピース１３０の形状は、生成された断片の形状とは異なる。商業的に実行可能な断片（例えば、ウェハ）の形成においては、業界標準に準拠することが好ましい場合がある。例えば、４インチ（１００ミリメートル）の円形ウェハは標準化された一般的に使用されるタイプのウェハであるため、このようなウェハを形成するために使用されるワークピース１３０は、４インチ（１００ミリメートル）の直径の円の断面積を有する円柱形となるであろう。円形ウェハのその他の標準的な直径には、１インチ（２５ミリメートル）、２インチ（５１ミリメートル）、３インチ（７６ミリメートル）、５．９インチ（１５０ミリメートル）、７．９インチ（２００ミリメートル）、１１．８インチ（３００ミリメートル）、及び１７．７インチ（４５０ミリメートル）が含まれる。疑似正方形ウェハの標準的な一辺の長さには、１２５ミリメートル及び１５６ミリメートルがあり、それぞれ直径１６５ミリメートル及び２１０ミリメートルの円柱形の断片から製造される。さらに、ワークピース１３０は、業界標準によるノッチまたはフラットを含み得る。これらの特徴は、単結晶の場合、材料の結晶構造の方向を示すことができる。例えば、ｎ−ドープ（１００）シリコンウェハは、互いに平行な二つのフラットを有しており、円柱形状の長さの両側に二つの平行なフラットが切断形成された円柱形のワークピース１３０から生成することができる。
【００１５】
さらに、クロッパー２６０は、剪断機２５０がワークピース１３０を剪断した後、剪断片を所望の幾何学的形状に正確に切り取ることができる。これにより、剪断システム１１０は、ある形状であるワークピース１３０を剪断して、最終的な幾何学的形状の剪断片を生成することができる。例えば、剪断機２５０は、正方形のワークピース１３０を剪断するように構成される。このように、シェーパ２１０はワークピース１３０を正方形に成形して、ワークピース１３０を正方形のウェハに剪断する。しかしながら、この場合において、ウェハの望ましい形状は円形である。よって、クロッパー２６０は、正方形のウェハを所望の幾何学的形状である円形のウェハの形に切り取る。クロッパー２６０は、レーザー切断、ウェハソーイング、化学エッチング、ウォータージェット切断等を含むがこれらに限定されない、ウェハから材料を除去する任意の方法を通じてその機能を達成する。
【００１６】
さらに、ワークピース１３０は、ワークピース１３０の二つの表面が剪断面１６０に平行になるように成形することができる。剪断面１６０は、分離層１４０によって事前定義されるとともに、システムコントローラ１２０によって決定され、剪断機２５０がそれに沿って剪断を行うワークピース１３０の面である。様々な実施形態において、剪断面は、二次元面以外のトポロジー面であり得る。二つの表面は、剪断機２５０がワークピース１３０をより効率的に剪断することができるように、剪断面１６０に平行であり得る。このプロセスの例は、図７Ａ〜図８Ｃに関連してより詳細に説明されている。一般に、これら二つの表面または面は、ワークピース１３０の対向する端部にある。例えば、インゴットの長軸が（１００）結晶面に垂直である円柱形の単結晶シリコンインゴットであるワークピース１３０の場合、シェーパ２１０はワークピース１３０を、インゴットの両端に同じ（１００）結晶学的方向を有する二つの面を有するように成形することができる。
【００１７】
成形されたワークピース１３０の外面は、表面に粗さが残っている場合がある。よって、いくつかの構成では、シェーパ２１０はその表面の粗さを低減することによって、剪断のためにワークピース１３０の表面を準備する。様々な実施形態において、シェーパ２１０は、機械的研磨、化学機械的研磨、ウェットエッチングプロセス（例えば、化学エッチングプロセス）、ドライエッチングプロセス（例えば、反応性イオンエッチング）、熱表面リフロープロセス、または剪断のためにワークピース１３０の表面を準備可能な他の任意のプロセスを使用して表面を準備する。
【００１８】
ポジショナ２２０は、剪断プロセス中にワークピース１３０及び／または剪断システム１１０を位置決めする。一例では、ポジショナ２２０は、剪断システム１１０を静止させたままで、ワークピース１３０を位置決めする。あるいは、ポジショナ２２０は、ワークピース１３０を静止させたままで、剪断システム１１０を位置決めする。場合によっては、ポジショナ２２０は、剪断システム１１０及びワークピース１３０の両方を同時に位置決めする。最も一般的には、ポジショナ２２０は、剪断システム１１０及びワークピース１３０を適切に位置合わせすることによって、ワークピース１３０の剪断を容易にする。ポジショナ２２０は、ワークピース１３０または剪断システム１１０を位置決めすることが可能な任意の数の要素であり得る。例えば、ポジショナ２２０は、ワークピース１３０及び剪断システム１１０の位置を検出するための適切な感知要素、並びに後続の処理のためにそれらを正確に位置決めするために必要な制御システムとともに、モータ、位置決めステージ、圧電素子、及び取り付け固定具等の構成要素を含み得る。
【００１９】
内部準備システム２３０は、分離層１４０を生成することによって、剪断のためにワークピース１３０を準備する。分離層１４０は、分離層１４０の平面に沿った剪断を容易にする、周囲の材料とは異なるワークピース１３０内の材料の層である。一般に、分離層１４０は剪断面１６０と同一平面上にあるか、またはそれと同じ配向を有する。分離層１４０を生成するために、内部準備システム２３０はレーザービームを生成し、ワークピース１３０の内部の焦点（すなわち、フットプリント１５０）にレーザービームを集束させる。他の構成では、内部準備システムは、ワークピース１３０の内部にフットプリント１５０を生成し得る他の任意のタイプの入射放射線を生成することができる。一般に、レーザーはフットプリント１５０においてワークピース１３０の構造を変化させて、材料を局所的に弱くし、それによってクラック伝播のための好ましい位置を生成する。ワークピース１３０の構造は、フットプリント１５０以外のいかなる位置でも実質的に変化されていない。一例として、内部準備システム２３０は、フットプリント１５０において、その領域のワークピース１３０の材料を溶融する量の熱エネルギーを生成することができる。
【００２０】
ポジショナ２２０と連携して動作する内部準備システム２３０は、剪断面１６０に沿ってワークピース１３０内にフットプリント１５０を生成する。このように、フットプリント１５０は、全体として剪断面１６０内のワークピース１３０の構造を変化させて、分離層１４０を生成する。分離層１４０内のワークピース１３０の構造は分離層１４０を囲む構造とは異なるため、ワークピース１３０は分離層１４０の面に沿って剪断されやすい。分離層１４０を生成するプロセスは、図６に関連してより詳細に説明されている。
【００２１】
図３は、内部準備システム２３０をより詳細に示している。内部準備システム２３０は、レーザー光源３１０、ビームシェーパ３２０、フットプリント位置決め要素３３０、及びワークピース形状補正光学系３４０を含む。
【００２２】
レーザー光源３１０は、ある繰り返し率で放射線のパルスを生成する。繰り返し率は通常少なくとも１００ｋＨｚであるが、より低い繰り返し率とすることもできる。レーザーパルスは、コリメートされた対称レーザービームを形成する。レーザービームは、ワークピース１３０の材料の電子バンドギャップよりも長い波長を有しており、その結果、レーザーがワークピース１３０に入る時、ワークピース１３０の材料は電子的に励起されない。一般に、レーザー光源３１０は、例えば０．２〜２０μｍの間の波長を有する。これにより、内部準備システム２３０は、例えば０．１〜１０ｅＶの間の電子バンドギャップを有するワークピース１３０のための分離層１４０を生成することができる。
【００２３】
一実施形態では、ビームシェーパ３２０は、非対称レーザービームを生成する。ビームシェーパ３２０の光学系は、非対称レーザービームを生成する円筒形テレスコープとして動作することができる。非対称レーザービームは、ワークピース１３０に焦点を合わせた時に、より大きなフットプリント１５０を生成することを可能にする。単一のパルスからより大きなフットプリント１５０を生成することにより、同じレーザー繰り返し率で分離層１４０をより速く製造することが可能となる。非対称ビームはまた、より薄い分離層１４０の生成を可能にし得る。より薄い分離層１４０は、剪断機２５０がより弱い力を利用してワークピース１３０を剪断することを可能にし、結果として分離された表面に生じる粗さをより少なくする。一実施形態では、非対称レーザービームの長軸は、ワークピース１３０の長軸に平行である。別の実施形態では、非対称レーザービームの長軸は、ワークピース１３０の長軸に垂直である。レーザービームは、ビームシェーパ３２０の後に再コリメートされ得る。一部のワークピース形状では、非対称レーザービームは必要ない場合もある。
【００２４】
フットプリント位置決め要素３３０は、ワークピース１３０内のフットプリント１５０にレーザービームを集束させる。一般に、剪断面１６０内のフットプリント１５０の幾何学的形状は構成可能なものであり、分離層１４０の厚さを決定するフットプリント１５０の厚さは、例えば２０μｍ未満であるが、他の任意のサイズであってもよい。一実施形態では、フットプリント位置決め要素３３０は、回転対称な正の焦点距離の光学系である。フットプリント位置決め要素３３０は、レーザービームの伝搬軸に沿って移動可能である。この軸に沿ったフットプリント位置決め要素３３０の移動は、ワークピース１３０内のフットプリント１５０の深さを同じ軸に沿って変化させることを可能にする。
【００２５】
一実施形態では、ワークピース１３０及びワークピース形状補正光学系３４０は、フットプリント位置決め要素３３０に対して一斉に移動されて、ワークピース１３０内のフットプリント１５０の深さをも変化させることができる。場合によっては、ワークピース１３０内のフットプリント１５０の深さは、例えば１ｍｍをはるかに超えた値であり得る。ワークピース１３０内のフットプリント１５０の深さは、ワークピース１３０の材料の光透過率と、平均パワー、ピークパワー、及び波長等のレーザーパラメータとによってのみ制限される。ワークピース１３０の材料特性は、ワークピース１３０内におけるフットプリント１５０の生成を可能にするレーザーパラメータ（すなわち、波長、ピークパワー、平均パワー）に影響を与える。例えば、第一の波長を有するレーザーを使用して第一の材料のワークピースにフットプリントを生成し、第二の波長を有するレーザーを使用して第二の材料のワークピースに同様のフットプリントを生成することができる。他の例も可能である。
【００２６】
ワークピース形状補正光学系３４０は、ワークピース１３０の表面の形状を補正し、フットプリント位置決め要素３３０の様々な位置について非点収差等の収差の影響を低減し、ワークピース１３０内にフットプリント１５０を生成するために必要なフルエンスを維持する。ワークピース形状補正光学系３４０は、単一の収差または多くの収差を補正するために複数の要素を含み得る。この光学系は、ワークピースの形状によっては必要ない場合もある。
【００２７】
全体として、内部準備システム２３０及びポジショナ２２０は、ワークピース１３０内の任意の位置にフットプリント１５０を生成するように構成される。さらに、内部準備システム２３０の構成は、フットプリント１５０の形状及び寸法を制御する。例えば、内部準備システム２３０の一つの構成が分離層１４０において４μｍ×２０μｍの楕円であるフットプリント１５０を生成する一方、別の構成が分離層１４０において直径２０μｍの円であるフットプリント１５０を生成する。前述したように、フットプリント１５０の厚さは主にビームシェーパ３２０及びフットプリント位置決め要素３３０の構成によって決定されるが、一般に２０μｍ未満である。
【００２８】
内部準備システム２３０は、同様に機能する他のいくつかの光学系の組み合わせを有し得る。例えば、屈折光学素子は、反射光学系（曲面鏡）に置き換えることができる。ビームシェーパ３２０は、円筒形テレスコープの代わりにアナモルフィックプリズム対とすることができる。ワークピース形状補正光学系３４０は、ワークピース１３０の形状を補正することに加えて、以前の光学系によって引き起こされた収差を補正するのに役立つ自由曲面光学系に置き換えることができる。
【００２９】
外部準備システム２４０は、ワークピース１３０の外面に切り込みを入れることによって、剪断のためにワークピース１３０を準備する。ワークピース１３０の外面に切り込みを入れると、ワークピース１３０にクラックが生じる。剪断機２５０は、分離層１４０に沿ってワークピース１３０を通してクラックを伝播させて、ワークピース１３０を複数の断片に剪断する。一般に、外部準備システム２４０は、切断が望まれる分離層１４０と同じ位置（例えば、同一平面上の位置、一致する位置等）でワークピース１３０に切り込みを入れるが、必要に応じて他の位置でワークピース１３０に切り込みを入れてもよい。切り込みの位置は、必要に応じて一つの点、複数の点、一本の線、または複数本の線とすることができる。例えば、切り込み位置はおおよそ、ワークピース１３０の外面に沿った円周方向のスクライブである。一実施形態では、外部準備システム２４０の機能は、内部準備システム２３０の構成要素のいくつかまたはすべてによって実行される。
【００３０】
外部準備システム２４０は、いくつかの方法でワークピース１３０に切り込みを入れることができる。例えば、外部準備システム２４０は、ワークピース１３０の材料をレーザーで切除すること、（機械的スクライブ、鋸、ノミ等で）ワークピース１３０の材料を物理的に除去すること、（ガス、化学薬品、プラズマ等で）ワークピース１３０をエッチングすること、またはワークピース１３０に切り込みを入れることが可能な他の任意のプロセスによって、ワークピース１３０に切り込みを入れることができる。
【００３１】
外部準備システム２４０が分離層１４０と同じ位置でワークピース１３０に切り込みを入れる場合、表面に切り込みを入れることによって、分離層１４０の周囲においてクラックを部分的に伝播させることができる。部分的に伝播されたクラックは、ワークピース１３０が剪断される時に、分離層１４０を通してさらに伝播される。例えば、内部準備システム２３０は、シリコンワークピース１３０の（１００）面上に分離層１４０を生成する。外部準備システム２４０は、分離層１４０の周囲に沿ってシリコンワークピース１３０に切り込みを入れ、（１００）面にクラックを入れる。よって、剪断機２５０がシリコンワークピース１３０を剪断する時、クラックは（１００）面に沿って分離層１４０全体を通して伝播する。クラックが分離層１４０に沿って伝播する程度は、分離層１４０の特性（例えば、厚さ、均一性等）、ワークピース１３０に切り込みを入れる方法（例えば、アブレーション、物理的除去等）、及びワークピース１３０の材料及び配向（例えば、結晶学的方向、組成等）に依存する。
【００３２】
剪断機２５０は、ワークピース１３０を一つ以上の断片に剪断する。一例では、剪断機２５０は、分離層１４０に垂直な機械的引張力４４０を加えてワークピース１３０を剪断する。一実施形態では、機械的引張力４４０は、ワークピース１３０の両端に取り付けられた静電クランプ４１０を介してワークピース１３０に加えられる。静電クランプ４１０とワークピース１３０との間に電圧４１６を印加して、それらをしっかりと固定する。ワークピース１３０は、機械的引張力４４０が加えられて静電クランプ４１０が制御された方法で引き離された時に剪断される。
【００３３】
図４は、剪断機２５０（例えば、容量性クランプ４１０）を用いてワークピース１３０を剪断する例示的なプロセスを示している。容量性クランプ４１０は、非導電性層４１４及び導電性本体４１２を含む。非導電性層４１４は、導電性本体４１２の一つの面に近接して配置されている。いくつかの実施形態では、非導電性層４１４は、それらが化学的に接着されるように、導電性本体４１２の面に直接堆積される。多くの実施形態では、導電性本体４１２の他の面は、ある種の支持体４３０に固定されている。これは、二つの材料を機械的または化学的に固定または取り付けするための任意の適切な手段によって行うことができる。支持体４３０が金属または他の導電性材料からなる場合、非導電性の取り付け方法を使用することにより、導電性本体４１２に印加される電圧４１６が支持体４３０にも印加され、潜在的に短絡または他の障害を生じさせることを防止する。一実施形態では、ワークピース１３０はエポキシまたは他のタイプの接着剤を使用してクランプ４２０に固定することができ、クランプ４１０がワークピース１３０から複数の断片を繰り返し切断する間、クランプ４２０はワークピース１３０に永久的に固定されたままとすることができる。いくつかの実施形態では、容量性クランプ４１０の形状は、ワークピース１３０の断面形状と一致する。
【００３４】
容量性クランプ４１０は、平行板コンデンサのプレートが受けるような静電力を生成することによって、ワークピース１３０を固定する。導電性本体４１２を高電圧に通電するために電圧供給源４１６が使用される一方、ワークピース１３０は反対の極性に通電されるか、または接地される。さらに、非導電性層４１４は、電荷が導電性本体４１２からワークピース１３０に、またはその逆方向に通過することを防止する。よって電荷は、導電性本体４１２及びワークピース１３０の両方の最も近い面に集まる。これらの電荷は反対であり、従って引き付けられるので、電界が非導電性層４１４内に生成され、関連して静電力も生成される。
【００３５】
ワークピース１３０を容量性クランプ４１０に固定するために必要な静電力の強さは変化し得るが、加えられる圧縮応力は通常、１０６〜１０８Ｐａのオーダーである。この応力は通常、非導電性層４１４の厚さ及び誘電特性に応じて、１００Ｖ〜５００ｋＶを含むがこれに限定されない範囲で電圧４１６を印加することによって生成される。例えば、厚さ１００ｎｍのＨｆＯ２の非導電性層４１４に１００Ｖのバイアスをかけると、約１０８Ｐａの圧縮応力が発生する。同様に、厚さ５００μｍの石英の非導電性層４１４に５００ｋＶのバイアスをかけると、約１０７Ｐａの圧縮応力が発生する。破壊力学的解析によれば、クラック４０４を伝播させるために必要な応力は、主に初期のクラックの深さ及びクラックの先端の鋭さに依存することが示されている。例えば、クラック４０４が内部準備システム２３０によって生成された分離層１４０に沿って部分的に伝播された場合、ワークピース１３０を剪断するのに必要な力の量は少なくなるであろう。初期のクラック４０４の深さの柔軟性は、必要な静電力、従って伝播に必要な電圧４１６の柔軟性をもたらす。
【００３６】
容量性クランプ４１０の表面の仕上げは、容量性クランプ４１０とワークピース１３０との間の静電力の強度及び均一性に影響を及ぼし得る。空気は非導電性層４１４に使用される材料よりも低い誘電率を有するため、ワークピース１３０と非導電性層４１４との間のエアギャップは、ワークピース１３０と導電性本体４１２との間に存在する電界を低減し、結果として生じる静電力を低減し得る。さらに、エアギャップがランダムに位置すると、導電性本体４１２とワークピース１３０との間の電界の均一性に影響が及び、その結果、静電力の均一性が低下する可能性がある。このような影響を低減するために、非導電性層４１４の接触面を（例えば、研磨等の方法を使用して）可能な限り原子的に平坦にして、容量性クランプ４１０とワークピース１３０との間の空気の存在を低減することができる。非導電性層４１４に使用される材料がワークピース１３０よりも硬い場合、研磨によってワークピース１３０への損傷を防ぐこともできる。いくつかの実施形態では、表面仕上げは、導電性本体４１２及び非導電性層４１４に使用される材料に依存する。いくつかの実施形態では、導電性本体４１２は、半導体材料からなる。
【００３７】
非導電性層４１４に使用される材料は、ワークピース１３０を剪断するのに必要な静電力の大きさのために、容量性クランプ４１０の動作に影響を及ぼし得る。容量性クランプ４１０がコンデンサのように機能するためには、非導電性層４１４は誘電体材料でなければならない。これらの材料が破壊される、または絶縁特性を失う電界の大きさは、絶縁耐力として知られている。非導電性層４１４が受ける電界は容量性クランプによって生成される静電力に比例するため、高い絶縁耐力を有する材料を使用することが有利である。必要な大きさの電界に耐え得ることがわかっている材料には、ダイヤモンド、立方晶窒化ホウ素、窒化アルミニウム、酸化ハフニウム、酸化ケイ素、窒化ケイ素、酸化ニオブ、チタン酸バリウム、チタン酸ストロンチウム、ニオブ酸リチウム、酸化アルミニウム、フッ化カルシウム、炭化ケイ素、及びこれらの任意の組み合わせがある。しかしながら、同様に高い絶縁耐力を持つ他の材料もこの目的で機能する可能性があるため、このリストに限定されるものではない。二次誘電体材料の考慮事項は、誘電率にある。誘電率の値が高くなるほど電圧が低くなるため、同じ大きさの静電力を実現するために印加する必要のある電界が低減される。よって、非導電性層４１４に使用される理想的な材料は、高い絶縁耐力及び高い誘電率の両方を備えたものである。
【００３８】
いくつかの実施形態では、非導電性層４１４に使用される誘電体材料は、異なる材料の薄層でコーティングされている。誘電体材料が硬すぎてクランプ中にワークピース１３０に損傷を与える場合、薄層コーティングは、ワークピース１３０を損傷しないより柔らかい誘電体材料とすることができる。誘電体が柔らかすぎてクランプ中に損傷を受ける場合、薄層コーティングは、クランプに関連する力に耐えるより硬い誘電体材料とすることができる。
【００３９】
ワークピース
このシステムは特に半導体製造に適用可能であるが、ワークピース１３０は、半導体材料以外の材料で作られてもよい。様々な実施形態では、ワークピース１３０は、電圧４１６がワークピース１３０と導電性本体４１２との間に印加された時に、電荷が容量性クランプ４１０と嵌合するワークピース１３０の表面に流れることができるように、導電性または半導電性でなければならない。これらの要件を満たすワークピース１３０の材料の例には、シリコン、炭化ケイ素、リン化インジウム、リン化ガリウム、ゲルマニウム、ヒ化ガリウム、窒化ガリウム等の多くの半導体が含まれる。ワークピース１３０に使用される材料がこれらの要件を満たすのに十分な導電性を有しない場合、より小さな静電力が生成され、容量性クランプ４１０は、剪断プロセスに必要なほど強くワークピース１３０を固定できない可能性がある。しかしながら、これらの特性は依然として、酸化ケイ素、酸化アルミニウム、酸化ジルコニウム、及び酸化マグネシウム等の絶縁材料で作られたワークピース１３０によって達成することができる。例えば一実施形態では、シェーパ２１０は、絶縁材料の表面に強く結合された薄い導電性コーティングを適用することができる。強力に結合しているとみなされるには、薄い導電性コーティングが、剪断プロセスに使用される静電力及び引張力の適用中に絶縁材料の表面に結合したままであることが必要である。
【００４０】
ワークピース１３０内の分離層１４０の配置は、得られるウェハの結晶方向を決定することができる。多くの実施形態では、分離層１４０は、ワークピース１３０内の特定の結晶学的平面と位置合わせされている。よって、得られるウェハの結晶方向は、選択された結晶面に一致する。結晶シリコンの標準的な結晶方向には、（１００）、（１１１）、及び（１１０）が含まれる。
【００４１】
システムコントローラ
様々な実施形態において、システムコントローラ１２０は、ワークピース１３０を剪断するために剪断システム１１０の様々な要素を制御する。
【００４２】
システムコントローラ１２０は、剪断片の所望の形状に基づいて、ワークピース１３０の形状を決定する。例えば、剪断片の所望の形状が円形である場合、コントローラ１２０はシェーパ２１０を制御して、ワークピース１３０を円柱形に成形する。一実施形態では、システムコントローラ１２０はオプションのクロッパー２６０のサブシステムをさらに制御して、剪断片を最終的な所望の幾何学的形状に切り取る。一般に、シェーパ２１０の制御には、ワークピース１３０を成形可能なシェーパ２１０の様々な要素を制御するための電気信号を生成することが含まれる。同様に、クロッパー２６０の制御には、電気信号を生成して、剪断片を特定の最終的な幾何学的形状に切り取り可能なクロッパー２６０の様々な要素を制御することが含まれる。
【００４３】
システムコントローラ１２０は、ワークピース１３０が剪断のために準備されている間、及び剪断されている間、ワークピース１３０、外部準備システム２４０、及び内部準備システム２３０の位置を決定する。位置を決定することには、ワークピース１３０の剪断面１６０が内部準備システム２３０によって照射されるように、ワークピース１３０または剪断システム１１０の要素の空間的位置を決定することが含まれ得る。位置が決定されると、システムコントローラ１２０は、ワークピース１３０または剪断システム１１０の要素を位置決めするポジショナ２２０のための制御信号を生成することができる。同様に、システムコントローラ１２０は、ポジショナ２２０が剪断システム１１０またはワークピース１３０の他の任意の要素を位置決めするように制御信号を生成することができる。
【００４４】
システムコントローラ１２０は、内部準備システム２３０の動作特性を決定及び調整する。一例では、システムコントローラ１２０は、レーザー光源３１０によって放出されるレーザービームの特性を決定及び調整する。一つ以上のレーザービーム特性は、例えばワークピース１３０の特性、分離層１４０の位置等に基づいて決定することができる。レーザー光源３１０及びレーザービームの特性には、波長、出力、パルスレート等が含まれ得る。さらに、システムコントローラ１２０は、様々な光学素子の適切な位置を決定及び調整して、ワークピース１３０の内部にフットプリント１５０及び分離層１４０を生成することができる。光学素子は、フットプリント１５０のサイズ、形状、及び位置を制御するようにさらに構成することができる。
【００４５】
システムコントローラ１２０は、外部準備システム２４０の動作特性を決定及び調整する。一例では、システムコントローラ１２０は、ワークピース１３０の外側に切り込みを入れる時に、ワークピース１３０及び外部準備システム２４０の位置を決定及び調整する。システムコントローラ１２０はまた、入れられるクラックの深さ、幅、及び全体的な形状を決定及び調整することもできる。
【００４６】
システムコントローラ１２０は、剪断機２５０の動作を制御する。すなわち、システムコントローラは、剪断機２５０がワークピース１３０を剪断するために必要な電圧及び信号を生成する。一実施形態では、システムコントローラ１２０は、図４に示される容量性クランプの設計に基づいて剪断機２５０を制御する。
【００４７】
剪断プロセス
図５は、剪断システム１１０を用いてワークピース１３０を剪断するためのプロセス５００のフロー図である。
【００４８】
システムコントローラ１２０は、剪断片の所望の形状に基づいて、ワークピース１３０の形状を決定する。決定された形状に基づいて、シェーパ２１０は、ワークピース１３０を所望の形状に成形する（５１０）。例えば、成形されたワークピース１３０が正方形となることが期待される場合、シェーパ２１０はワークピース１３０を、剪断プロセスの残りを首尾よく達成するために必要な幾何学的仕様及び公差を備えた正方形プリズムに成形する（５１０）。
【００４９】
システムコントローラ１２０は、ワークピース１３０内の剪断面１６０の位置を決定する。内部準備システム２３０は、ワークピース１３０内の所望の剪断面１６０に分離層１４０を生成することによって、ワークピース１３０を内部的に準備する（５２０）。場合によっては、内部準備システム２３０は、ワークピース１３０内に複数の分離層１４０を生成する。これらのプロセスは、図６に関連してより詳細に説明されている。
【００５０】
システムコントローラ１２０は、ワークピース１３０にクラックを入れる位置を決定する。外部準備システム１４０は、剪断された時に分離層１４０に沿ってワークピース１３０を通して伝播する外面のクラック４０４を生成することによって、ワークピース１３０を外部的に準備する（５３０）。一般に、クラック４０４は、内部準備システム２３０によって準備された分離層１４０の境界（ｐｅｒｉｍｅｔｅｒ）または境界の一部に沿っている。場合によっては、外部準備システム１４０は、ワークピース１３０の外面に沿っていくつかのクラック４０４を入れる。
【００５１】
システムコントローラ１２０は、剪断機２５０がワークピース１３０を剪断する（５４０）ための信号を生成する。一実施形態では、ワークピース１３０の剪断には、ワークピース１３０の両端に機械的引張力４４０を生成することによって、分離層１４０に沿ってクラック４０４を伝播させることが含まれる。すなわち、ワークピース１３０は、分離層１４０でワークピース１３０を二つの断片に引き離すことによって剪断される。一般に、ワークピース１３０は、剪断面がワークピース１３０の長軸に直交するように剪断される。別の実施形態では、ワークピース１３０の剪断には、クラック４０４が分離層１４０に沿って優先的に伝播されるように制御された剪断力をワークピースに適用することによって、ワークピース１３０の内部に応力を生成してクラック４０４を伝播させることが含まれる。さらに別の実施形態では、ワークピース１３０の剪断には、クラック４０４が分離層１４０に沿って優先的に伝搬されるように、ワークピース１３０の内部に圧縮、張力、剪断、曲げ、ねじり、または疲労応力の可変の組み合わせからなる一般的な機械的応力を生成することによってクラック４０４を伝播させることが含まれる。さらに別の実施形態では、ワークピース１３０の剪断（５４０）には、ワークピース１３０の急速な加熱または冷却によって実現可能な熱応力を加えることにより、分離層１４０に沿ってクラック４０４を伝播させることが含まれる。さらに別の実施形態では、ワークピース１３０の剪断（５４０）には、圧電アクチュエータ、磁歪アクチュエータ、またはワークピース１３０内に強力な音波を生成する同様のデバイスを通して実現可能な強力な振動を加えることにより、分離層１４０に沿ってクラック４０４を伝播させることが含まれる。さらに別の実施形態では、ワークピース１３０の剪断（５４０）は、上記の方法の任意の組み合わせによって達成することができる。
【００５２】
システムは、ワークピース１３０を何度も剪断すること（５４０）ができる。様々な実施形態では、これは、ワークピース１３０の内部的な準備（５２０）、ワークピースの外部的な準備（５３０）、及びワークピース１３０の任意の回数の剪断（５４０）を含み得る。これらのステップは異なる順序で発生してもよく、剪断システム１１０の構成に基づいて何度も繰り返すことができる。
【００５３】
内部準備
図６は、内部準備システム２３０を用いて内部的にワークピース１３０を準備するためのプロセス６００のフロー図である。
【００５４】
ここで、システムコントローラ１２０は、ワークピース１３０の剪断面１６０を決定している。このように、システムコントローラ１２０は、内部準備システム２３０を構成して（６１０）、ワークピース１３０内の所望の剪断面１６０に分離層１４０を生成する。内部準備システム２３０の構成には、内部準備システム２３０がワークピース１３０内に適切なフットプリント１５０を生成するように、光学系を位置決めすること、ワークピース１３０を位置決めすること、レーザー光源３１０のパラメータを構成すること等が含まれ得る。
【００５５】
次に、システムコントローラ１２０は、レーザー光源３１０を制御して、ワークピース１３０に向けてレーザービームを投射する（６２０）。レーザービームは、内部準備システム２３０の様々な光学系によってワークピース１３０内に集束される。レーザービームは、所望の剪断面１６０に沿ってワークピース１３０の内部にフットプリント１５０を生成し（６３０）、その領域におけるワークピース１３０の構造を変化させる。
【００５６】
フットプリント１５０の生成（６３０）によって剪断のためにワークピース１３０を内部的に準備する例が、図７Ａ及び図７Ｂに示されている。図７Ａは内部準備中のワークピース１３０の等角図であり、図７Ｂは内部準備中のワークピース１３０の断面図である。
【００５７】
この例では、剪断片が円形になることが期待されるため、ワークピース１３０は円柱形のインゴットとされている。剪断面１６０は、ワークピース１３０の長軸に直交している。レーザービーム７１０は、ワークピース１３０の表面に入射し、フットプリント１５０に集束される。フットプリント１５０は、剪断面１６０と同一平面上にあるか、または剪断面１６０と同様に配向されている。
【００５８】
図６に戻ると、システムコントローラ１２０は、内部準備システム２３０を再び構成する（６１０）。この例では、内部準備システム２３０の構成には、ワークピース１３０内のフットプリント１５０が剪断面１６０上の異なる位置に位置するように光学系を再配置することが含まれる。内部準備システム２３０が再構成されると、システムコントローラ１２０は、集束されたビームを投射して（６２０）、新しいフットプリント１５０を生成する（６３０）。このプロセスは、図７Ｃ及び図７Ｄに示されている。
【００５９】
特に、図７Ａ〜図７Ｄは、ワークピース１３０を内部的に準備するために使用されるレーザービームの伝搬方向がワークピース１３０の長軸に垂直である例を示しているが、レーザービームの方向の他の例も可能である。例えば、レーザービームの伝搬方向は、ワークピースの長軸に平行であり得る。この場合、レーザービームは、ワークピースの側面ではなく、ワークピースの上面からワークピースに入射する。
【００６０】
フットプリント１５０を生成するプロセスは、フットプリント１５０が全体として分離層１４０を生成するまで繰り返し続けられる。図８Ａは、ワークピース１３０の剪断面１６０上に分離層１４０を形成するフットプリント１５０の例を示している。剪断面１６０は、ページの面に等しい。他の実施形態では、分離層１４０は、様々なフットプリント１５０の密度を有することができる。すなわち、いくつかの例では、フットプリント１５０は、いくらかのオーバーラップを有するか、またはフットプリント１５０の間に追加の間隔を有していてもよい。さらに、システムコントローラ１２０は、特定のフットプリント１５０のパターンを使用して分離層１４０を生成することができる。例えば、システムコントローラ１２０は、一方の側から他方の側へのラスターパターン、中心から始まり外側に向かってらせん状を描くパターン、フットプリント１５０の同心リングを形成するパターン等を使用してフットプリント１５０を生成することができる。パターン及び密度がどうであれ、フットプリント１５０は分離層１４０を生成する。図８Ｂ及び図８Ｃは、分離層１４０の等尺の断面図を示している。
【００６１】
図６に戻ると、システムコントローラ１２０は、別の分離層１４０の位置を決定する。このように、システムコントローラ１２０は、ポジショナ２２０にワークピース１３０及び／または内部準備システム２３０を再配置させて、別の分離層１４０を生成する。一般に、ポジショナ２５０は、ワークピース１３０をその長軸に沿って移動させて、第一の分離層１４０に平行な別の分離層１４０を生成するようにワークピース１３０を位置決めする（６４０）。ワークピース１３０及び内部準備システム２３０が適切に位置決めされると、内部準備システム２３０は、別の分離層１４０を生成する。複数の分離層１４０を生成した後のワークピース１３０の例が、図９に示されている。分離層１４０の間の距離は、剪断後に生成される剪断片の厚さを示す。分離層の間の距離は、分離層１４０の厚さによって制限され得る。例えば、分離層は厚さｔ´を有し得、ワークピース内の二つの隣接する分離層の中心間の距離は、例えばｔ´よりも長い。一般に、製造されるウェハの厚さは１０μｍよりも厚いが、１０μｍ未満となることもある。別の実施形態では、複数の分離層１４０は、その前のフットプリント１５０が新しいフットプリント１５０の生成において干渉を生じさせないような方法で並行して製造される。
【００６２】
図１０Ａは、分離層１４０に沿って剪断されたワークピース１３０の例を示している。ワークピース１３０は、この例では剪断面１６０と同一平面上にある分離層１４０に沿って、上部片１０１０と下部片１０３０とに剪断される。ここで、上部片１０１０の底面１０２０は分離層１４０上にあった。同様に、下部片１０３０の上面１０４０は分離層１４０上にあった。
【００６３】
図１０Ｂは、いくつかの分離層１４０に沿って剪断されたワークピース１３０の例を示している。この例では、ワークピースは、上部片１０５０、中間片１０６０、及び下部片１０７０に剪断される。それ以前に接合されていた表面は、剪断面１６０及び同一平面上の分離層１４０の位置にあった。様々な実施形態では、剪断システム１１０は、ワークピース１３０を任意の数の断片に剪断することができる。各断片は、分離層１４０及び剪断面１６０の近接性に基づいて、任意の所望の厚さを有することができる。
【００６４】
本発明の実施形態についての前述の説明は、例示の目的で提示された。それは、網羅的であること、または本発明を開示された正確な形態に限定することを意図するものではない。関連技術の当業者は、上記の開示に照らして多くの修正及び変形を行うことが可能であることを理解することができる。
【００６５】
最後に、本明細書で使用される用語は、主に読みやすさ及び教示の目的のために選択されており、本発明の主題を描写または制限するためには選択されていない場合がある。よって、本発明の範囲はこの詳細な説明によってではなく、本明細書に基づく出願に関して発行される特許請求の範囲によって制限されることが意図されている。よって、本発明の実施形態の開示は、以下の特許請求の範囲に記載されている本発明の範囲を例示することを意図しているが、これを限定することは意図していない。
【図１】
2021531982.tif 000003
【図２】
2021531982.tif 000004
【図３】
2021531982.tif 000005
【図４】
2021531982.tif 000006
【図５】
2021531982.tif 000007
【図６】
2021531982.tif 000008
【図７Ａ】
2021531982.tif 000009
【図７Ｂ】
2021531982.tif 000010
【図７Ｃ】
2021531982.tif 000011
【図７Ｄ】
2021531982.tif 000012
【図８Ａ】
2021531982.tif 000013
【図８Ｂ】
2021531982.tif 000014
【図８Ｃ】
2021531982.tif 000015
【図９】
2021531982.tif 000016
【図１０Ａ】
2021531982.tif 000017
【図１０Ｂ】
2021531982.tif 000018
【国際調査報告】
2021531982.tif 000019